(57)【要約】【課題】  折り畳み可能な衣類収納具を提供すること。【解決手段】  吊り下げられたパネルを有するハンガーに衣類を保持し、それによって、パネルが折り畳まれたときに、かけられている衣類も折り畳まれた状態で保持されるシステムおよび方法に関する。【選択図】      図１Ａ
2008220808.tif 000002
【特許請求の範囲】
【請求項１】
ハンガーに取り付けるのに適した、前面および背面を有する複数のパネルを備える衣類ホルダーであって、該複数のパネルのうちの第２のパネルが、該複数のパネルのうちの第１のパネルに対して可動に取り付けられており、それによって該第２のパネルの前面が該第１のパネルの前面と向かい合うように折り畳まれることと、
ジャケットが該ハンガーにかかっている場合に、該第２のパネルが折り畳まれて該第１のパネルと向かい合うと該ジャケットが折り畳まれることとを特徴とする衣類ホルダー。
【請求項２】
前記ハンガーを備え、該ハンガーが、前記ホルダーを持ち運ぶための取っ手と、前記ハンガーを吊り下げるためのハンギング・フックとを有する請求項１に記載の衣類ホルダー。
【請求項３】
前記ハンガー内にくぼみを備え、前記ハンギング・フックが前記衣類ホルダーの最上部よりも下方へ下げられると、該ハンギング・フックが該くぼみの中へ挿入される請求項２に記載の衣類ホルダー。
【請求項４】
前記取っ手を前記ハンガーの最上部よりも上方へ上げ、かつ該取っ手を該ハンガーの最上部よりも下方へ下げるための部材によって、該取っ手が前記衣類ホルダーに取り付けられている請求項２に記載の衣類ホルダー。
【請求項５】
前記ハンギング・フックを前記ハンガーの最上部よりも上方へ上げ、かつ該ハンギング・フックを該ハンガーの最上部よりも下方へ下げるために、回転部材を用いて該ハンギング・フックを前記衣類ホルダーに取り付けている請求項２に記載の衣類ホルダー。
【請求項６】
前記パネルが折り畳まれている場合に、前記衣類ホルダーを覆うのに適したケースを備える請求項１に記載の衣類ホルダー。
【請求項７】
前記ハンガーに取っ手を備え、前記ケースがリップを含み、該リップが、該取っ手の開口部を通って、該ケースの第１の側部を該ケースの第２の側部に対して固定する請求項６に記載の衣類ホルダー。
【請求項８】
前記ハンガーに取っ手を備え、前記ケースが前記衣類ホルダーを覆うと該取っ手が該ケースの外へ突出する請求項６に記載の衣類ホルダー。
【請求項９】
前記第１のパネルを前記ハンガーから吊り下げるための複数の曲げやすいサスペンダーを備える請求項１に記載の衣類ホルダー。
【請求項１０】
ハンガーを備え、該ハンガーが、ズボンを保持するためのロッドを有し、前記第２のパネルが折り畳まれて前記第１のパネルと向かい合うと該ズボンが折り畳まれる請求項１に記載の衣類ホルダー。
【請求項１１】
前記複数のパネルのうちの１つのパネルが、ケースを収納するのに適したポーチを備え、前記衣類ホルダーが折り畳まれると該ケースが該衣類ホルダーを収納する請求項１に記載の衣類ホルダー。
【請求項１２】
ハンガーに取り付けるために吊り下げられてジャケットの下側部分の横方向の形状を支持するための複数の折り畳み可能なパネルを備える衣類ホルダーであって、該パネルが折り畳まれると、該ジャケットの下側部分が該ジャケットの上側部分へ折り畳まれる衣類ホルダー。
【請求項１３】
前記ハンガーを備え、該ハンガーが、ハンギング・フックおよび取っ手を有し、該ハンギング・フックを格納された位置へ下げることができ、該取っ手を上げられた位置へ延ばすことができる請求項１２に記載の衣類ホルダー。
【請求項１４】
前記ハンガーおよび前記折り畳まれたパネルを入れるためのカバーを備える請求項１３に記載の衣類ホルダー。
【請求項１５】
ジャケットの上側部分をハンガーにかける工程であって、該ハンガーが複数のパネルを吊り下げ、該複数のパネルの周りを該ジャケットの下側部分が包むことと、
該複数のパネルのうちの１つのパネルの周りを包んでいる該ジャケットの下側部分を該ジャケットの上側部分に向けて上方へ折り畳む工程とを含む方法。
【請求項１６】
ハンギング・フックを前記ハンガーよりも上方へ延ばす工程と、持ち運び用の取っ手を該ハンガーの最上部よりも下方へ下げる工程とを含む請求項１５に記載の方法。
【請求項１７】
前記ハンギング・フックを前記ハンガー内のくぼみへはめ込む工程を含む請求項１６に記載の方法。
【請求項１８】
前記ハンガーおよび前記折り畳まれたパネルをケースで覆う工程を含む請求項１５に記載の方法。
【請求項１９】
前記パネルにズボンをかける工程と、前記パネルが折り畳まれるにつれて該ズボンを折り畳む工程とを含む請求項１５に記載の方法。
【請求項２０】
前記パネルを前記ハンガー、前記ジャケットから取り外す工程と、前記複数のパネルのうちの１つのパネル内にあるタブに前記袖を取り付ける工程とを含む請求項１５に記載の方法。
【発明の詳細な説明】
【技術分野】
【０００１】
本発明は一般に、スーツ、シャツ、ジャケットなどの衣類の収納具に関する。
【背景技術】
【０００２】
旅行用にジャケットやスーツなどの衣類を梱包する際には通常、スーツ・バッグ（旅行かばんやスーツケースとは別個である場合がある）にスーツを収納するか、またはスーツケース（他の多くのものを含んでいることがある）にスーツやジャケットを折り畳んで入れる必要がある。スーツや衣類用のバッグを別個に持って旅行すると、不便で煩わしいこともある。中身が詰まった旅行かばんやスーツケースにスーツを詰め込むと、往々にしてスーツに望ましくないしわがつく結果となり、目的地に到着したときには、スーツをプレスするかアイロンをかける必要が生じる。
【発明の開示】
【発明が解決しようとする課題】
【０００３】
本発明は、上記した懸案を鑑みてなされたものである。
【課題を解決するための手段】
【０００４】
本発明のいくつかの実施形態は、ジャケットを保持するためのハンガーと、前面および背面を有するパネルとを有する衣類ホルダーを備えており、この衣類ホルダーでは、下側パネルが上側パネルに対して可動に取り付けられており、それによって下側パネルの前面を、上側パネルの前面と向かい合うように折り畳むことができ、これによって、ジャケットがハンガーにかかっている場合に、下側パネルが折り畳まれて上側パネルと向かい合ったときにジャケットが折り畳まれる。
【０００５】
いくつかの実施形態においては、このホルダーは、ホルダーを持ち運ぶための取っ手と、ホルダーを吊り下げるためのハンギング・フックとを備えることも可能である。
いくつかの実施形態においては、このホルダーはくぼみを備えることができ、ハンギング・フックが衣類ホルダーの最上部よりも下方へ下げられるときに、ハンギング・フックをそのくぼみへ挿入することができる。
【０００６】
いくつかの実施形態においては、取っ手をハンガーの最上部よりも上方へ上げ、かつ取っ手をハンガーの最上部よりも下方へ下げるための部材によって、取っ手をホルダーに取り付けることができる。
【０００７】
いくつかの実施形態においては、ハンギング・フックをハンガーの最上部よりも上方へ上げ、かつハンギング・フックをハンガーの最上部よりも下方へ下げるための回転部材によって、ハンギング・フックをホルダーに取り付けることができる。
【０００８】
いくつかの実施形態においては、このホルダーは、パネルを折り畳んだ際にホルダーを覆うのに適したケースを備えることができる。いくつかの実施形態においては、ケースがリップを備えることも可能であり、リップは、取っ手の開口部を通ってケースの第１の側部をケースの第２の側部に固定する。いくつかの実施形態においては、取っ手は、ケースがこの衣類ホルダーを覆うときにケースから突出してもよい。いくつかの実施形態においては、パネルは、ケースを収納するためのポーチ、すなわち収納部を備えていてもよい。
【０００９】
いくつかの実施形態においては、パネルを別のパネルに吊り下げるための、またはパネルをハンガーに吊り下げるための曲げやすいサスペンダーによって、パネルを別のパネルに対して連結することができる。
【００１０】
いくつかの実施形態においては、このホルダーは、ズボンを保持するためのロッドを含むことができ、これによって、下側パネルが折り畳まれて上側パネルと向かい合ったときにズボンが折り畳まれる。
【００１１】
いくつかの実施形態は、ジャケットの上側部分を保持するためのハンガーと、ジャケットの下側部分の横方向の形状を支持するためにハンガーから吊り下げられた折り畳み可能なパネルとを有する衣類ホルダーを備えることができ、これによって、パネルが折り畳まれたときに、ジャケットの下側部分がジャケットの上側部分に対して折り畳まれる。いくつかの実施形態においては、このホルダーは、ハンギング・フックおよび取っ手を備えることができ、この場合には、ハンギング・フックを格納された位置へ下げることができる。
【００１２】
いくつかの実施形態は、ジャケットの上側部分をハンガーにかけ、ハンガーからパネルを吊り下げて（この場合には、ジャケットがパネルの周りを包み）、パネルの周りを包んでいるジャケットの下側部分をジャケットの上側部分に向けて折り畳む方法を含むことも可能である。
【００１３】
本発明の実施形態は、限定ではなく例示として添付の図面の各図に示されており、それらの図においては、同様の参照番号は、対応する要素、類似した要素、または同様の要素を指す。
【００１４】
簡単かつ明確に図示する目的から、図に示されている要素は、必ずしも縮尺どおりには描かれていない。たとえばいくつかの要素の寸法は、明確にする目的から、その他の要素に比べて大きく示されている場合もある。
【発明を実施するための最良の形態】
【００１５】
以降の詳細な説明においては、本発明の実施形態について十分に理解するために、多くの具体的な詳細について説明する。しかしながら、これらの具体的な詳細がなくても本発明の実施形態を実施することができるということを当業者であれば理解できるであろう。その他の場合には、本発明の実施形態が分かりにくくならないように、公知の方法、手順、および構成要素については、詳しく説明を行っていない。
【００１６】
図１Ａは、本発明のいくつかの実施形態による折り畳み可能な衣類ホルダーを示す概念的な図である。いくつかの実施形態においては、折り畳み可能な衣類ホルダー１００は、たとえば２つのパネル１０２Ａ，１０２Ｂなど、いくつかのパネル１０２を含むことができる。３つ以上など、その他の数のパネル１０２を使用することもできる。パネル１０２は、たとえば折り曲げ可能なプラスチックや、プラスチックでコーティングされたボール紙など、柔軟で、剛性または半剛性の素材から構成することができ、ジャケットの横方向の形状を支持または保持することができる。いくつかの実施形態においては、パネル１０２は、たとえば横４３ｃｍ、縦約２５ｃｍの寸法のポリプロピレンから構成することができ、これによってパネル１０２の幅は、ハンガーを中心にして折り畳んだときのジャケットの幅とほぼ等しくなるはずである。いくつかの実施形態においては、第１のパネル１０２Ａは、第２のパネルやその他のパネルよりも大きく、および／または高くすることができる。その他の寸法およびサイズも可能である。いくつかの実施形態においては、パネル１０２の数および寸法は、収納されるジャケットやスーツのサイズを反映することができ、これによって大きなスーツは、たとえば大きな寸法の３つのパネル１０２を備えたホルダー１００内に収納することができ、その一方で比較的小さなスーツは、比較的小さな寸法の２つのパネル１０２を備えたホルダー１００内に収納することができる。その他の組合せも可能である。
【００１７】
いくつかの実施形態においては、ホルダー１００は、ジャケットの上側部分を保持するためのハンガー１０３を含むことができる。ハンガー１０３は、ズボン・ロッド１１３を備えることも可能であり、パネル１０２は、ズボン・ロッド１１３に取り付けるか、またはズボン・ロッド１１３から吊り下げることができる。いくつかの実施形態においては、第１のパネル１０２Ａは、ハンガー１０３と同じユニットの一部とするか、またはそのユニット内に含めることができる。いくつかの実施形態においては、パネル１０２は、ハンガー１０３から取り外し可能にすることができ、別のハンガー１０３に取り付けるために交換することができる。
【００１８】
いくつかの実施形態においては、ハンガー１０３は、ハンガー・フック１０８および取っ手１１１を含むことができる。ハンガー・フック１０８および取っ手１１１は、たとえばハンガー１０３の１つまたは複数のちょうつがいまたは回転部材に、可動に取り付けることができ、これによって、ハンガー・フック１０８および取っ手１１１の一方または双方を、ハンガー１０３の最上部よりも上方へ上げることや延ばすこと、およびハンガー１０３の最上部よりも下方へ下げることができる。このようにして、図１Ｂに示すように、いくつかの実施形態においては、ハンガー・フック１０８は、ハンガー１０３内のくぼみ１１７の中へ下げるか、または反転して格納することができ、これによってハンガー・フック１０８は、見えないように、または邪魔にならないように格納され、ホルダー１００は、取っ手１１１がハンガー１０３の最上部よりも上へ上がった状態で、取っ手１１１によって持ち運ぶことができる。いくつかの実施形態は、くぼみ１１７や取っ手１１１を備えていなくてもよい。
【００１９】
いくつかの実施形態においては、ハンガー・フック１０８および取っ手１１１の一方または双方は、たとえばハンギング・フック１０８または取っ手１１１の基部にあるくぼみを、ハンガー１０３の最上部にあるフランジまたは突起へとはめ込むことによって、所定の位置に、たとえばハンガー１０３の最上部よりも上へ延びた位置にロックすることができる。いくつかの実施形態においては、ハンギング・フック１０８および取っ手１１１は双方とも、同時におよびお互いに独立して、上がった位置または下がった位置を取ることができる。
【００２０】
いくつかの実施形態においては、１つまたは複数のパネル１０２は、たとえばパネル１０２内のループまたは穴１０６に通すことができる、たとえば１つまたは複数のチェーン、ストラップ１０４、リボン、リンク、ひも、あるいはその他の柔軟な、または部分的に柔軟な、もしくは曲げやすいサスペンダーによって、連結することができる。いくつかの実施形態においては、ストラップ１０４の数を少なくするか、またはストラップ１０４がなくてもよい。ストラップ１０４に関しては、その他の素材を使用することもでき、他の方法によりストラップ１０４をパネル１０２に取り付けることも可能である。ストラップ１０４は、１つのパネル１０２を別のパネルに連結することができ、それによってパネル１０２は、ホルダー１００が延ばされた際に、または吊り下げられた際に、垂直に垂れ下がることができ、またホルダー１００は、梱包または収納する際には、パネル１０２同士の間で折り畳むことができる。
【００２１】
いくつかの実施形態においては、下側パネル１０２Ｂは、上側へ折り畳むことができ、これによってパネル１０２Ｂの前面は、パネル１０２Ａの前面と向かい合う。このような下側パネル１０２Ｂを折り畳んで、上側パネル１０２Ａと向かい合わせにすることも可能である。パネル１０２Ｂの背面は、上側へ折り畳んでパネル１０２Ａの前面と接することができる。その他の折り畳みの組合せも可能であり、第１のパネル１０２の前面または背面を折り畳んで、別のパネル１０２の前面または背面と接することもできる。いくつかの実施形態においては、第１のパネル１０２Ａおよび第２のパネル１０２Ｂのうちの１つまたは複数をハンガー１０３の高さまで折り畳むことができ、これによってパネル１０２は、ハンガー１０３の本体の一部または全体と向かい合う。
【００２２】
いくつかの実施形態においては、１つまたは複数のパネル１０２は、スリット１１４すなわち隙間を含むことができ、この中へ１つまたは複数のズボンを入れて、パネル１０２Ａ内など、ホルダー１００内に保持することができる。いくつかの実施形態においては、１つまたは複数のタブまたは留め具１１６をパネル１０２Ａ内に備えるか、またはパネル１０２Ａに取り付けて、ズボンをスリット１１４内にしっかりと保持することができる。
【００２３】
いくつかの実施形態においては、１つまたは複数の留め具またはタブ１１８をパネル１０２Ａもしくは１０２Ｂまたは１０２Ｃあるいはその他の場所に付け加えるか、または形成して、たとえばジャケットの１つまたは複数の袖を所定の位置に保持することができ、これによって袖は、必要以上に折り畳まれることやしわになることを免れる。いくつかの実施形態においては、タブまたは留め具１２０を下側パネル１０２Ｂに付け加えて、たとえばジャケットの下部をホルダー１００の所定の位置に保持することができる。他のタブまたは留め具１２０を他の領域に付け加えることも可能である。
【００２４】
いくつかの実施形態においては、ホルダー１００は、カバー１２２を含むことができ、このカバー１２２は、たとえば上側パネル１０２Ａ、下側パネル１０２Ｂ、またはホルダー１００の他の箇所に取り付けることができる。このカバーは、たとえばホルダー１００を閉じる際、または折り畳む際に、ホルダー１００の上または周りにかけることができる。いくつかの実施形態においては、カバー１２２は、フラップまたはポーチ１２４を備えてもよく、このフラップまたはポーチ１２４は、ホルダー１００の最上部または最下部を越えて延び、これによってホルダー１００の両方の側部は、パネル１０２のうちの一方が他方の上に折り畳まれた際に、完全にまたは部分的にカバー１２２で覆われる。いくつかの実施形態においては、カバー１２２は、その全体または一部を、防水性の素材から、またはメッシュ生地から構成することができ、このメッシュ生地は、部分的に伸縮性のある軽量のものとすることができ、このメッシュ生地を通して、ホルダー１００の外側からスーツやジャケットを見ることができる。いくつかの実施形態においては、カバー１２２またはポーチ１２４は、スリット１２６を備えていてもよく、このスリット１２６からハンガー１０３を挿入して、たとえばホルダー１００をカバー１２２で覆ったままで吊り下げることができる。
【００２５】
いくつかの実施形態においては、ホルダー１００は、ボール紙やその他の安価で容易に廃棄できる素材から形成することができる。いくつかの実施形態においては、ホルダー１００は、スーツや衣類に同梱する、すなわちスーツや衣類と一緒に販売することができる。
【００２６】
いくつかの実施形態においては、衣類の上側部分をハンガー１０３の最上部の上からかけることができ、１着のズボンをスリット１１４の中へ通すか、またはロッド１１３の上にかけることができる。パネル１０２Ａ，１０２Ｂは、たとえばお互いの上にアコーディオン式に、および／またはハンガー１０３の高さまで折り畳むことができ、これによって、たとえば折り畳まれたホルダー１００は、単一のパネルと、またはハンガー１０３とほぼ同じ高さになる。いくつかの実施形態においては、カバー１２２は、最も下のパネル１０２Ｂから上に折り畳んで、折り畳まれたパネル１０２を覆うことも可能である。ポーチ１２４は、折り畳まれたホルダー１００の最上部の上へ延ばして、ハンガー１０３を覆うように、すなわちホルダー１００の背面へ固定してもよい。他の方法によりホルダー１００を閉じるまたは折り畳むことも可能である。
【００２７】
図２Ａおよび図２Ｂは、本発明の一実施形態に従って衣類を収納するためのケースを示す概念的な図である。図２Ａにおいては、ケース２００は、ホルダー１００に沿って畳まれている衣類を収納、すなわち入れることができる。図２Ｂのケース２００は、リップ２０４、すなわちケース２００の一方の側部の延長部を備えていてもよく、このリップ２０４は、たとえばケース２００の第１の側部からケース２００の第２の側部へと取っ手２０６の中を通すことができるため、ケース２００を閉じた位置に保持することができる。リップ２０４は、バックル、ＶＥＬＣＲＯ（商標）、あるいは他の締め具などの留め具２０８を備えていてもよく、この留め具２０８によって、リップ２０４をケース２００の第２の側部に取り付けることも可能である。いくつかの実施形態においては、ケース２００は、取っ手またはハンギング・フックをケース２００の外側に延ばさずに閉じることができる。
【００２８】
ケース２００は、たとえばビニール、革、布、プラスチック、あるいは他の任意の適切な素材から製造することができる。いくつかの実施形態においては、ケース２００は、素材を所定の方法で折り畳んで、ケース２００のタブをケース２００の対応するスリット内に差し込むことによって、閉じることができる。いくつかの実施形態においては、ケース２００は、ジッパー２０２、ボタン、または他の適切な方法によって閉じることができる。
【００２９】
図３は、本発明のいくつかの実施形態による折り曲げ可能な衣類ホルダー３００を示す概念的な図である。いくつかの実施形態においては、パネル３０２は、１つまたは複数のパネル３０２から構成することができ、これらのパネル３０２は、たとえば複数の横方向へ延びる折畳み領域３０４に沿って、折り畳み可能というよりはむしろ折り曲げ可能にすることができる。折り曲げ可能なパネル３０２は、いくつかの実施形態においては、折り畳むことによって生じ得る衣類３０６やスーツのしわを最小限に抑えることができる。折畳み領域３０４は、たとえばうねのあるプラスチックからなる領域とするか、またはそうした領域を備えることも可能であり、この領域は、はっきりした折り目を衣類に付けることなく、たとえば部分的に折り畳まれた姿勢へ折り曲げることができる。はっきりした折り目がないため、ホルダー３００内に収納されているスーツやズボンに望ましくないしわがつくことを防止する。
【００３０】
図４は、本発明の一実施形態に従って１つまたは複数のシャツを収納するように構成可能な衣類ホルダーのパネルを示す概念的な図である。いくつかの実施形態においては、たとえばワイシャツなどのシャツをパネル１０２に取り付けることができる。他の衣類を収納することも可能である。パネル１０２は、タブ４００または留め具を備えていてもよく、このタブ４００または留め具の中へ、たとえばシャツの肩角や下端など、シャツの一部を挿入することができる。いくつかの実施形態においては、シャツの前面および背面をパネル１０２の第１の側部に取り付けることができ、これによってシャツの両端が、タブ４００によって保持される。シャツの両側部は、パネル１０２の後ろへぐるりと折り畳むことができ、たとえばパネル１０２の後ろ側にあるタブ４００によって保持することができる。いくつかの実施形態においては、パネル１０２の第１の側部または第２の側部に沿ってシャツの両袖を同様に折り畳むことができる。いくつかの実施形態においては、パネル１０２は、突起４０２を含むことができ、この突起４０２の周りに、すなわち突起４０２を覆うようにして、パネル１０２に固定されたシャツの襟を取り付けることができる。いくつかの実施形態においては、１つまたは複数のシャツをパネル１０２の第１の側部に取り付けることができ、１つまたは複数のシャツをパネル１０２の第２の側部に取り付けることができる。
【００３１】
いくつかの実施形態においては、１つまたは複数のパネルは、ポーチ、バッグ４０４、または他のホルダーを含むか、または取り付けておくことができ、これらを使用して、たとえばシャツ、靴下、ネクタイ、あるいは他の付属物を収納することができる。いくつかの実施形態においては、ケース２００を使用していないときに、バッグ４０４を使用してケース２００を収納することができる。バッグ４０４は、たとえばメッシュ、布、あるいは他の適切な柔軟で軽量な素材から構成することができる。
【００３２】
図５は、本発明の一実施形態による方法を示す流れ図である。ブロック５００においては、ハンガーの上からジャケットをかけることができ、これによって、ジャケットの上側部分がハンガーの周りを包み、ジャケットの下側部分が、ハンガーのズボン・ロッドからなど、ハンガーから吊り下げられているパネルの周りを包む。ブロック５０２においては、パネルのうちの１つまたは複数をハンガーの方に向けて上側へ折り畳むことができ、これによって、パネルの周りを包んでいる、またはパネルの周りに延びているジャケットの下側部分も、ジャケットの最上部の方に向けて上側へ折り畳まれる。いくつかの実施形態においては、たとえばパネルまたはズボン・ロッドの上からズボンをかけることができ、パネルを折り畳む際にズボンも折り畳むことができる。
【００３３】
いくつかの実施形態においては、ハンギング・フックをハンガーの上に延ばすことができ、持ち運び用の取っ手をハンガーの最上部の下に反転して格納することができる。いくつかの実施形態においては、ハンギング・フックをハンガー内のくぼみの中に反転して格納することができ、これによってハンギング・フックは、下げられた状態ではハンガー本体に格納される。
【００３４】
いくつかの実施形態においては、ホルダーは、取り付けられたケースまたは別個のケースを備えることも可能であり、このケースは、前記ハンガーおよび折り畳まれたパネルを包むことができる。このケースはリップを備えていてもよく、このリップは、ケースの一方の上側端部から延び、取っ手を通って、ケースの別の側部に固定されて、ケースを閉じた位置に保持することができる。
【００３５】
いくつかの実施形態においては、パネルをハンガーに取り付けたり、ハンガーから取り外したりすることができるため、１つのハンガーと別のハンガーとの間でパネルを交換することができる。
【００３６】
いくつかの実施形態においては、ジャケットの１つまたは複数の袖をジャケットの前で折り畳んで、たとえばタブやその他の締め具によってパネルに固定することができ、これによって袖は、パネルが折り畳まれた際に所定の位置に保持される。
【００３７】
本発明の特定の特徴について本明細書に例示して説明したが、多くの修正形態、代替形態、変更形態、および均等物を当業者ならば想起するであろう。したがって添付の特許請求の範囲は、本発明の趣旨の範囲内に収まるすべての修正形態および変更形態を包含することを意図している。
【図面の簡単な説明】
【００３８】
【図１Ａ】本発明のいくつかの実施形態による衣類ホルダーを示す概念的な図。
【図１Ｂ】本発明の一実施形態による衣類ホルダーのハンガー・フックおよび取っ手を示す概念的な図。
【図２Ａ】本発明の一実施形態に従って衣類を収納するためのケースを示す概念的な図。
【図２Ｂ】本発明の一実施形態に従って衣類を収納するためのケースを示す概念的な図。
【図３】本発明のいくつかの実施形態による折り曲げ可能な衣類ホルダーを示す概念的な図。
【図４】本発明の一実施形態による衣類ホルダーのパネルを示す概念的な図。
【図５】本発明の一実施形態による方法を示す流れ図。
【図１Ａ】
2008220808.tif 000003
【図１Ｂ】
2008220808.tif 000004
【図２Ａ】
2008220808.tif 000005
【図２Ｂ】
2008220808.tif 000006
【図３】
2008220808.tif 000007
【図４】
2008220808.tif 000008
【図５】
2008220808.tif 000009